(57)【要約】【課題】一例として、より不都合の生じにくい新規な構成を有した変形可能な電子機器を得る。【解決手段】実施形態にかかる電子機器で、ディスプレイは、画像を見ることができる前面と当該前面の反対側の後面とを有し、屈曲可能である。第一の支持部は、ディスプレイの一端側を支持するとともに、ディスプレイが略平坦な状態では当該ディスプレイの一端側から他端側に亘ってディスプレイの後面側に位置された。第二の支持部は、ディスプレイの他端側を支持するとともに、ディスプレイと第一の支持部との間に位置された。ヒンジ部は、第一の支持部と第二の支持部とを回動可能に接続した。電子機器は、第一の支持部と第二の支持部とが近接してディスプレイが略平坦な第一の状態と、第一の支持部と第二の支持部とが離間してディスプレイが一端側と他端側との間で屈曲された第二の状態と、をとり得る。【選択図】図２
2014026385.tif 000002
【特許請求の範囲】
【請求項１】
画像を見ることができる前面と当該前面の反対側の後面とを有し屈曲可能なディスプレイと、
前記ディスプレイの一端側を支持するとともに、前記ディスプレイが略平坦な状態では当該ディスプレイの一端側から他端側に亘って前記ディスプレイの前記後面側に位置された第一の支持部と、
前記ディスプレイの他端側を支持するとともに、前記ディスプレイと前記第一の支持部との間に位置された第二の支持部と、
前記第一の支持部と前記第二の支持部とを回動可能に接続したヒンジ部と、
を備え、
前記第一の支持部と前記第二の支持部とが近接して前記ディスプレイが略平坦な第一の状態と、前記第一の支持部と前記第二の支持部とが離間して前記ディスプレイが前記一端側と前記他端側との間で曲がった第二の状態と、をとり得る電子機器。
【請求項２】
前記第一の支持部および前記第二の支持部のうち少なくとも一方は、前記ディスプレイの前記一端部と前記他端部とに亘る方向と交叉した方向の端部をスライド可能に支持した第三の支持部を有した、請求項１に記載の電子機器。
【請求項３】
前記第三の支持部は前記ヒンジ部と離間して設けられた、請求項２に記載の電子機器。
【請求項４】
前記ディスプレイと前記第二の支持部との間に、前記ディスプレイと前記第二の支持部との摩擦を減らす摩擦低減部が設けられた、請求項１〜３のうちいずれか一つに記載の電子機器。
【請求項５】
前記摩擦低減部は前記後面に設けられた、請求項４に記載の電子機器。
【請求項６】
前記ディスプレイが曲がったことを検出可能なセンサを備えた、請求項１〜５のうちいずれか一つに記載の電子機器。
【請求項７】
前記前面での入力操作を検出するタッチセンサと、
前記タッチセンサの検出結果に応じた処理を実行する制御部と、
を備え、
前記制御部は、前記ディスプレイが曲がったことが検出された場合には、当該ディスプレイの曲がった部分を含む領域に対応した前記タッチセンサの検出結果に応じた処理を実行しない、請求項６に記載の電子機器。
【請求項８】
前記第二の支持部にカメラモジュールが設けられ、
前記第一の支持部に、前記第一の状態で前記カメラモジュールによる当該第一の支持部の前記ディスプレイとは反対側の領域の撮像を可能とする開口部が設けられた、請求項１〜７のうちいずれか一つに記載の電子機器。
【請求項９】
前記第一の支持部内に前記一端側から前記他端側に亘った空間が設けられた、請求項１〜８のうちいずれか一つに記載の電子機器。
【請求項１０】
前記第一の支持部に対して前記第二の支持部を支持した第四の支持部を備えた、請求項１〜９のうちいずれか一つに記載の電子機器。
【請求項１１】
表示面を有した可撓性のディスプレイと、
前記表示面の一端側で当該表示面の裏側に位置された第一の支持部と、
前記表示面の他端側で当該表示面の裏側に位置された第二の支持部と、
前記第一の支持部と前記第二の支持部とを回動可能に接続したヒンジ部と、
前記第一の支持部および前記第二の支持部のうち一方に固定され、前記ディスプレイの前記表示面の前記一端側と前記他端側との間の中間部分が当該表示面の前方側に向けて凸となる状態に他方が回動するのを抑制する第一の回動抑制部と、
前記第一の支持部および前記第二の支持部のうち一方に固定され、他方を支持することにより、前記第一の支持部および前記第二の支持部が、前記ディスプレイの前記中間部分が前記表示面の後方側に凸となる状態に曲がった所定角度から、前記ディスプレイの前記表示面の前記一端側と前記他端側とが互いに面する方向に回動するのを抑制する第二の回動抑制部と、
を備えた、電子機器。
【請求項１２】
表示面を有した部品を支持した第一の支持部と、
表示面を有した部品を支持した第二の支持部と、
前記第一の支持部と前記第二の支持部とを回動可能に接続したヒンジ部と、
前記第一の支持部および前記第二の支持部のうち一方に固定され、他方を支持することにより、前記一方と前記他方とが、前記ヒンジ部で前記第一の支持部ならびに前記第二の支持部の前記表示面の前方側に突出した状態に曲がるのを抑制する第一の回動抑制部と、
前記第一の支持部および前記第二の支持部のうち一方に固定され、他方を支持することにより、前記一方と前記他方とが、所定角度で曲がった状態から、前記一方および前記他方の前記表示面同士が近接する方向に回動するのを抑制する第二の回動抑制部と、
を備えた、電子機器。
【請求項１３】
前記第一の回動抑制部が、前記他方の前記表示面とは反対側を全体的に覆う、請求項１２に記載の電子機器。
【発明の詳細な説明】
【技術分野】
【０００１】
本発明の実施形態は、電子機器に関する。
【背景技術】
【０００２】
従来、フレキシブルディスプレイを有した変形可能な電子機器が知られている。
【先行技術文献】
【特許文献】
【０００３】
【特許文献１】特開２００７−１２８０７８号公報
【発明の概要】
【発明が解決しようとする課題】
【０００４】
従来の変形可能な電子機器では、例えば、折り畳まれた筐体同士が重なると厚さが増大し、例えば入れ物に入りにくくなる等の問題が生じる場合があった。
【０００５】
そこで、本発明の実施形態は、一例として、より不都合の生じにくい新規な構成を有した変形可能な電子機器を得ることを、目的の一つとする。
【課題を解決するための手段】
【０００６】
本発明の実施形態にかかる電子機器は、ディスプレイと、第一の支持部と、第二の支持部と、ヒンジ部と、を備える。ディスプレイは、画像を見ることができる前面と当該前面の反対側の後面とを有し、屈曲可能である。第一の支持部は、ディスプレイの一端側を支持するとともに、ディスプレイが略平坦な状態では当該ディスプレイの一端側から他端側に亘ってディスプレイの後面側に位置された。第二の支持部は、ディスプレイの他端側を支持するとともに、ディスプレイと第一の支持部との間に位置された。ヒンジ部は、第一の支持部と第二の支持部とを回動可能に接続した。電子機器は、第一の支持部と第二の支持部とが近接してディスプレイが略平坦な第一の状態と、第一の支持部と第二の支持部とが離間してディスプレイが一端側と他端側との間で屈曲された第二の状態と、をとり得る。
【図面の簡単な説明】
【０００７】
【図１】図１は、実施形態にかかる電子機器の一例の第一の状態での斜視図である。
【図２】図２は、実施形態にかかる電子機器の一例の第二の状態での斜視図である。
【図３】図３は、実施形態にかかる電子機器のディスプレイを除く部分の一例の第一の状態での斜視図である。
【図４】図４は、実施形態にかかる電子機器のディスプレイを除く部分の一例の第二の状態での斜視図である。
【図５】図５は、実施形態にかかる電子機器の一例の第一の状態での側面図である。
【図６】図６は、実施形態にかかる電子機器の一例の第二の状態での側面図である。
【図７】図７は、図１のVII−VII断面での第二の支持部およびディスプレイの断面図である。
【図８】図８は、実施形態にかかる電子機器の一例の第二の支持部の第一の状態での正面図である。
【図９】図９は、実施形態にかかる電子機器の一例の第二の支持部の第二の状態での正面図である。
【図１０】図１０は、実施形態にかかる電子機器の一例の第一の支持部の一部の第一の状態での背面図である。
【図１１】図１１は、実施形態にかかる電子機器の一例の制御回路の一部の模式的なブロック図である。
【図１２】図１２は、実施形態にかかる電子機器の一例のヒンジ部を含む一部の第一の状態での断面図である。
【図１３】図１３は、実施形態にかかる電子機器の一例のヒンジ部を含む一部の第二の状態での断面図である。
【図１４】図１４は、第一変形例にかかる電子機器の第二の支持部の正面図である。
【図１５】図１５は、第二変形例にかかる電子機器の第二の支持部の正面図である。
【図１６】図１６は、第三変形例にかかる電子機器の第二の支持部の背面図である。
【図１７】図１７は、第三変形例にかかる電子機器の第一の支持部の一部の平面図である。
【図１８】図１８は、第三変形例にかかる電子機器の第二の支持部および第四の支持部の側面図である。
【発明を実施するための形態】
【０００８】
以下の例示的な実施形態や変形例には、同様の構成要素が含まれている。よって、以下では、同様の構成要素には共通の符号が付されるとともに、重複する説明が省略される。
【０００９】
また、以下の実施形態や変形例では、電子機器がパーソナルコンピュータとして構成された場合が例示されるが、本実施形態にかかる電子機器は、これには限定されない。本実施形態にかかる電子機器は、テレビジョン受像機や、携帯電話機、スマートフォン、ＰＤＡ（personal digital assistant）、事務機器、電子辞書装置、ゲーム装置、映像表示装置、映像再生装置等として構成することができる。
【００１０】
＜第１実施形態＞
本実施形態では、一例として、図１〜６に示されるように、電子機器１は、第一の支持部２（第一の筐体、第一の部分）と第二の支持部３（第二の筐体、第二の部分）とを備える。第一の支持部２および第二の支持部３は、ディスプレイ５を支持する。第一の支持部２は、厚さ方向に薄い扁平な直方体状に構成されている。第一の支持部２は、厚さ方向の視線（平面視）では四角形状（本実施形態では、一例として長方形状）の外観を呈している。第二の支持部３は、四角形状（本実施形態では、一例として長方形状）かつ板状に構成されている。図３に示されるように、第一の支持部２の長手方向の中間部分２ｒ（中央部分）と第二の支持部３の端部３ｅとが、ヒンジ部４を介して回動軸Ａｘ回りに回動可能に接続されている。第二の支持部３の厚さ方向の視線（平面視）での大きさは、第一の支持部２の厚さ方向の視線での大きさの略半分である。第二の支持部３は、第一の支持部２から起立した所定の位置（本実施形態では、一例として第一の支持部２と略９０°の角度をなす位置、第一の支持部２と直交する位置、第一の支持部２から離間した姿勢、第二の姿勢、第二の状態）と、端部２ｃ側へ倒れた位置（第一の支持部２に沿った位置、第一の支持部２に近接した位置、第一の姿勢、第一の状態）との間で、回動する（移動する）ことができる。第二の支持部３は、当該所定の位置から端部２ｃとは反対側の端部２ｅ側へは倒れる（回動する、移動する）ことができない。また、図２に示されるように、第一の支持部２の面２ａ（壁部２ｋ）の、中間部分２ｒと端部２ｃとの間には、凹部２ｓ（開口部）が設けられている。第二の支持部３は、図１，３，５に示される端部２ｃ側に倒れた位置では、凹部２ｓ内に収容される。第一の状態で、第二の支持部３の面３ｂ（図５，６参照）は、第一の支持部２に覆われ、第一の支持部２と第二の支持部３とがそれらの厚さ方向に重なる。なお、電子機器１は、第一の支持部２と第二の支持部３との間に抵抗トルク（回動抵抗力）を生じさせる抵抗要素（例えば皿ばね等、図示されず）が設けられている。抵抗要素は、第一の支持部２と第二の支持部３との角度を維持する。操作者が、第一の支持部２と第二の支持部３との間に当該抵抗トルクを超えた回動トルクを与えた場合には、第一の支持部２と第二の支持部３とは回動する（姿勢を変化させる）ことができる。抵抗トルクの大きさは、自重や加振等では第一の支持部２と第二の支持部３等が回動しないように設定されている。
【００１１】
第一の支持部２は、本実施形態では、一例として、図５，６に示されるように、面２ａ（前面、上面、正面、面部）とこの反対側の面２ｂ（後面、下面、背面、面部）と、を有する。面２ａおよび面２ｂは、いずれも、第一の支持部２の厚さ方向と交叉する方向（本実施形態では、一例として直交する方向）に沿って延びている（拡がっている）。面２ａと面２ｂとは略平行である。また、図１〜４に示されるように、第一の支持部２は、平面視では、四つの端部２ｃ〜２ｆ（辺部、縁部）と、四つの角部２ｇ〜２ｊ（尖部、曲部、端部）と、を有する。端部２ｃ，２ｅは、短辺部の一例である。また、端部２ｄ，２ｆは、長辺部の一例である。
【００１２】
また、第一の支持部２は、一例として、図５，６に示されるように、面２ａを有する壁部２ｋ（部分、プレート、フレーム、前壁部、表壁部、天壁部）と、面２ｂを有する壁部２ｍ（部分、プレート、後壁部、裏壁部、底壁部）と、を有する。壁部２ｋ，２ｍは、厚さ方向の視線（平面視）では四角形状（本実施形態では、一例として長方形状）の外観を呈する。壁部２ｋと壁部２ｍとは、互いに離間して設けられている。また、第一の支持部２は、壁部２ｋと壁部２ｍとの間に亘った面２ｐ（側面、周面）を有する四つの壁部２ｎ（部分、プレート、側壁部、端壁部、立壁部、亘部）を有する。第一の支持部２の内部には空間２ｖ（図１２，１３等参照）が設けられている。空間２ｖは、壁部２ｋ，２ｍ，２ｎによって囲まれ、壁部２ｋと壁部２ｍとの間に位置され、端部２ｃと端部２ｅとの間に亘り、端部２ｄと端部２ｆとの間に亘っている。空間２ｖには、例えば、バッテリや、基板（回路基板、制御基板、サブ基板）、各種モジュール、ＯＤＤ（optical disk drive）、ＨＤＤ（hard disk drive）、ＳＳＤ（solid state drive）、アンテナ、カメラモジュール、スピーカユニット、コネクタユニット、操作部ユニット（スイッチ）、センサユニット等の各種部品が、収容されることができる。本実施形態では、一例として、ヒンジ部４が設けられた中間部分２ｒを跨いで空間２ｖが設けられているため、比較的大型の（広い）部品が収容されやすい。
【００１３】
また、本実施形態では、空間２ｖ内に設けられる基板には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、ディスプレイ５の表示画面（面５ａ）での映像（動画や静止画等）の出力や、スピーカ（図示されず）での音声の出力、ＬＥＤ（light emitting diode、図示されず）での発光等を制御する。ディスプレイ５や、スピーカ、ＬＥＤ等は、出力部の一例である。
【００１４】
また、第一の支持部２は、複数の部品（分割体）が組み合わせられて構成されることができる。第一の支持部２は、本実施形態では、一例として、図５，６に示されるように、少なくとも壁部２ｋを含む部材２１（前側部材、マスク、マスク部、カバー、フロントカバー、カバー部、部分、領域）と、少なくとも壁部２ｍを含む部材２２（後側部材、ベース、ベース部、ボトム、ボトム部、カバー、リヤカバー、カバー部、部分、領域）とを有する。壁部２ｎは、部材２１および部材２２のうち少なくともいずれか一方（例えば、部材２２）に含まれる。また、第一の支持部２は、部材２１と部材２２との間に位置した別の部材（中間部材、隔部材、障壁部材、壁部材、介在部材、覆部材、インナプレート、ミドルプレート、ミドルフレーム、シールド、部分、領域、図示されず）を有することができる。第一の支持部２は、金属材料や、合成樹脂材料等で構成されることができる。一例としては、部材２１を合成樹脂材料で構成し、部材２２を金属材料で構成することができる。あるいは、部材２１を金属材料で構成し、部材２２を合成樹脂材料で構成することができる。また、部材２１および部材２２は、同じ材料で構成されることができるし、それぞれ部分的に異なる材料を含むことができる。なお、部材２１や部材２２の第一の支持部２内側には、リブ等の壁部（突出部、突出壁部、図示されず）が設けられることができる。これら壁部により、第一の支持部２の剛性が高まりやすい。
【００１５】
第二の支持部３は、本実施形態では、一例として、面３ａおよび面３ｂを有する壁部３ｍを有する。壁部３ｍは、四角形状（本実施形態では、一例として長方形状）である。また、第二の支持部３は、図３，４に示されるように、平面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。また、第二の支持部３の端部３ｃには、先端側に突出した突出部３ｘが設けられている。よって、本実施形態によれば、一例としては、操作者は、突出部３ｘを把持して第二の支持部３を回動させることができる。突出部３ｘは、第一の状態では、ディスプレイ５の端部５ｃよりヒンジ部４から遠い側で露出している。
【００１６】
また、図７に示されるように、端部３ｄ，３ｆには、壁部３ｍの面３ａから突出した壁部３ｎが設けられている。また、壁部３ｎの突端には、他方の端部３ｆ，３ｄ側に向けて壁部３ｍと平行に張り出したフランジ状の壁部３ｒが設けられている。壁部３ｍと壁部３ｒとの間には、隙間３ｓが設けられている。隙間３ｓ内には、ディスプレイ５の端部５ｄ，５ｆが収容される。すなわち、端部５ｄ，５ｆは、壁部３ｍ，３ｎ，３ｒによって囲まれている。
【００１７】
ディスプレイ５（表示部、表示装置、部品）は、本実施形態では、一例として、可撓性で、柔軟で、屈曲可能で、薄く、かつシート状（膜状）である。ディスプレイ５は、例えば、ＬＣＤ（liquid crystal display）やＯＥＬＤ（organic electroluminescent display）等である。ディスプレイ５は、厚さ方向の視線（平面視）で四角形状（本実施形態では、一例として長方形状）に構成されている。ディスプレイ５は、画像を見ることができる面５ａ（前面、正面、上面、表面、表示面、表示画面）とその反対側の面５ｂ（後面、背面、下面、裏面、図７，１２参照）とを有する。また、ディスプレイ５は、平面視では、四つの端部５ｃ〜５ｆ（辺部、縁部）と、四つの角部５ｇ〜５ｊ（尖部、曲部、端部）と、を有する。端部５ｃ，５ｅは、短辺部の一例である。また、端部５ｄ，５ｆは、長辺部の一例である。
【００１８】
本実施形態では、一例として、ディスプレイ５は、第一の支持部２の面２ａならびに第二の支持部３の面３ａを覆っている。すなわち、ディスプレイ５は、面２ａ上ならびに面３ａ上に位置されている。換言すれば、第一の支持部２ならびに第二の支持部３は、ディスプレイ５の面５ｂを覆っている。また、ディスプレイ５は、第一の支持部２および第二の支持部３に支持されている。第一の支持部２の長手方向一方側（本実施形態では、一例として、中間部分２ｒより端部２ｅ側）の部分は、ディスプレイ５の長手方向一方側（本実施形態では、一例として端部５ｅ側）の領域５ｎを支持し、第二の支持部３は、ディスプレイ５の長手方向他方側（本実施形態では、一例として端部５ｃ側）の領域５ｍを支持している。なお、ディスプレイ５の周縁部（端部５ｃ〜５ｆ）には、帯状の非表示領域５ｐが設けられている。
【００１９】
また、本実施形態では、一例として、ディスプレイ５の端部５ｅを含む領域５ｎは第一の支持部２に固定され、ディスプレイ５の端部５ｃを含む領域５ｍは第一の支持部２にスライド可能（移動可能）に支持されている。ここで、本実施形態では、一例として、図３，４に示されるように、第一の支持部２の、ディスプレイ５が固定される固定部２ｔ（接続部、支持部、取付部）のヒンジ部４側の端部２ｕは、ヒンジ部４から離間している。また、第二の支持部３の壁部３ｒのヒンジ部４側の端部３ｗは、ヒンジ部４から離間している。端部２ｕのヒンジ部４からの距離と、端部３ｗのヒンジ部４からの距離とは、ほぼ同じである。このような構成では、第一の支持部２と第二の支持部３とがヒンジ部４を介して屈曲された状態（第二の状態）において、ディスプレイ５は、端部５ｃと端部５ｅとの間の中間部分５ｋ（長手方向の中間部分、ヒンジ部４と重なる部分、曲がった部分）で曲げられる。このとき、ディスプレイ５は、弾性を有するため、図２，１３に示されるように、端部２ｕと端部３ｗとの間でヒンジ部４から離間した状態で曲がる。一方、第二の支持部３が倒れて第一の支持部２の端部２ｃ側の領域に近接するとともに端部２ｅ側の領域と連なって平らに広がった状態（第一の状態）において、ディスプレイ５は、図１２に示されるように、ヒンジ部４に近接する。すなわち、本実施形態では、このようなヒンジ部４の近傍におけるディスプレイ５の変形によって、図９に示される第二の状態では、図８に示される第一の状態に比べて、ディスプレイ５の端部５ｃ側の領域５ｍが、第二の支持部３の先端側に位置する。すなわち、ディスプレイ５の領域５ｍは、第一の支持部２と第二の支持部３との屈曲に応じて、第二の支持部３に沿ってスライド（移動）する。よって、壁部３ｍ，３ｎ，３ｒは、ディスプレイ５の領域５ｍの端部５ｄ，５ｆをスライド（移動）可能に支持する第三の支持部６の一例である。また、ディスプレイ５の端部５ｄ，５ｆの長手方向の中間位置（ヒンジ部４に対応した位置、ヒンジ部４とほぼ重なる位置）には、互いに対向した切欠５ｒが設けられている。ディスプレイ５が曲がった際には切欠５ｒが設けられた部分で応力が大きくなるため、ディスプレイ５は切欠５ｒが設けられた部分で曲がりやすい。よって、本実施形態では、一例としては、切欠５ｒが設けられたことによって、ディスプレイ５の屈曲位置や屈曲形状等が定まりやすい。
【００２０】
また、本実施形態では、第一の支持部２と第二の支持部３とが屈曲されるのに伴って、ディスプレイ５が第二の支持部３に沿ってより円滑にスライドするよう、ディスプレイ５と第二の支持部３との間に、摩擦低減部７が設けられている。摩擦低減部７は、一例としては、図７に示されるように、ディスプレイ５と壁部３ｍ，３ｎ，３ｒとの間に位置される。摩擦低減部７は、ディスプレイ５の面５ｂと、端部５ｃ，５ｄ，５ｆと、ディスプレイ５の面５ａの周縁部（ただし、端部５ｃ，５ｄ，５ｆに対応する部分）とに、設けられている。摩擦低減部７は、例えば、ポリテトラフルオロエチレン（polytetrafluoroethylene）等、比較的滑りやすい（摩擦係数の低い）合成樹脂材料で構成することができる。摩擦低減部７は、ディスプレイ５に塗布されたり、接着されたりして、設けられることができる。なお、摩擦低減部７の厚さや硬さ等のスペックを適宜に設定することにより、摩擦低減部７をディスプレイ５の補強部材として用いることができる。
【００２１】
また、本実施形態では、一例として、ディスプレイ５には、タッチセンサ５ｔ（図１１参照）が設けられている。タッチセンサ５ｔは、無色透明であり、ディスプレイ５を構成する層内あるいはディスプレイ５の面５ａを覆う層に位置されることができる。
【００２２】
また、本実施形態では、一例として、図５，６に示されるように、第一の支持部２および第二の支持部３のうち少なくとも一方には、第一の支持部２と第二の支持部３とが近接あるいは離間したことを検出可能なセンサ８ａが設けられている。本実施形態では、一例として、第一の支持部２にセンサ８ａ（例えば、ホール素子）が設けられ、第二の支持部３のセンサ８ａと対向する位置に検出対象部８ｂ（検出対象物、被検出部、被検出物、例えば、磁石）が設けられている。このような構成では、検出対象部８ｂがセンサ８ａから所定距離以上離間した場合と、検出対象部８ｂとセンサ８ａとが近接した場合とでセンサ８ａの出力が変化する。よって、制御部９は、センサ８ａの検出結果により、第一の支持部２と第二の支持部３との屈曲状態、ひいてはディスプレイ５が曲がったことを検出することができる。すなわち、センサ８ａは、ディスプレイ５が曲がったことを検出可能なセンサの一例である。
【００２３】
本実施形態では、一例として、図１１に示されるように、電子機器１は、制御部９や、ディスプレイ５（表示部）、タッチセンサ５ｔ、センサ８ａ、記憶部１０（例えば、ＲＡＭ，ＲＯＭ，ＳＳＤ等）を備える。制御部９は、例えば、記憶部１０（例えば、ＲＯＭやＳＳＤ等の不揮発性の記憶部）にインストールされたプログラムを読み出し、当該読み出したプログラムにしたがって各種の演算処理（処理）を実行することができる。また、制御部９は、センサ８ａの検出結果（検出信号）によって、第一の支持部２と第二の支持部３とが屈曲された状態（第二の状態）にあるか否か、すなわち、ディスプレイ５が曲がった状態であるか否かを判断（判別）することができる。また、制御部９は、第一の支持部２と第二の支持部３とが屈曲された状態、すなわち、ディスプレイ５が曲がった状態にある場合には、ディスプレイ５の端部５ｅ側の領域５ｎには、文字入力用の画像（例えば、キーボードや文字入力用フレーム等の画像、図示されず）を表示することができ、さらに、当該表示と対応したタッチセンサ５ｔの検出結果に応じた入力信号を取得することができる。
【００２４】
また、制御部９は、第一の支持部２と第二の支持部３とが屈曲された状態、すなわち、ディスプレイ５が曲がった状態にある場合には、ディスプレイ５の曲がった中間部分５ｋを含む領域５ｓ（ヒンジ部４と対応した領域、ヒンジ部４と重なった領域、ヒンジ部４と近い領域、一例としては帯状の領域、図２参照）では、タッチセンサ５ｔからの検出信号に基づく演算処理を実行しない。すなわち、制御部９は、当該領域５ｓでのタッチセンサ５ｔの入力を（無視する）無効にする。よって、本実施形態によれば、一例としては、操作者によるタッチセンサ５ｔへの入力操作に基づかないディスプレイ５が曲がったことによるタッチセンサ５ｔの検出結果（誤検出）に基づいて制御部９で演算処理（処理）が実行されるのを、抑制することができる。
【００２５】
さらに、本実施形態では、一例として、図５，６に示されるように、第二の支持部３にはカメラモジュール１１が設けられている。また、第一の支持部２には、カメラモジュール１１に対応した開口部２ｘ（例えば、貫通孔や切欠等）が設けられている。開口部２ｘは、本実施形態では、一例として、第一の支持部２を厚さ方向に貫通する貫通孔として設けられている。そして、第一の状態で、カメラモジュール１１は、図５，１０に示されるように、開口部２ｘに挿入され、第一の支持部２のディスプレイ５とは反対側の領域（図５で第一の支持部２より下側の領域）を撮像することができる。また、第二の状態では、カメラモジュール１１は、第二の支持部３のディスプレイ５とは反対側の領域（図６で第二の支持部３より右側の領域）を撮像することができる。
【００２６】
また、本実施形態では、一例として、図１２に示されるように、電子機器１には、第一の回動抑制部１２ａが設けられている。第一の回動抑制部１２ａは、一例として、第二の支持部３の壁部３ｍに当接する壁部２ｋ（突出部、リブ、凸部、段差部、支持部）である。回動された第二の支持部３が第一の回動抑制部１２ａに当接することにより、図１２に示された位置（角度）より図１２の時計回り方向へ回動するのが抑制される。すなわち、第一の回動抑制部１２ａは、第一の支持部２と第二の支持部３とがディスプレイ５の領域５ｓ（中間部分５ｋ）が面５ａ（表示面）の上方（前方、正面）側に向けて凸となる状態に回動するのを、抑制する。
【００２７】
さらに、本実施形態では、一例として、図１３に示されるように、電子機器１には、第二の回動抑制部１２ｂが設けられている。第二の回動抑制部１２ｂは、一例として、第一の支持部２の壁部２ｍに設けられ、空間２ｖ内で壁部２ｋ側に突出し、第二の支持部３の壁部３ｍに設けられたアーム部３ｔに当接する突出部２ｙ（壁部、リブ、凸部、段差部、支持部）である。回動された第二の支持部３が第二の回動抑制部１２ｂに当接することにより、第二の支持部３が図１３に示された位置（角度）より図１３の反時計回り方向へ回動するのが抑制される。すなわち、第二の回動抑制部１２ｂは、第一の支持部２と第二の支持部３とがディスプレイ５の領域５ｓが面５ａの下方（後方、背後）側に向けて凸となった図１３の位置（角度、状態）から、面５ａの一端側（端部５ｅ側、図１３の左方側）と他端側（端部５ｃ側、図１３の上方側）とが互いに面する方向に回動するのを、抑制する。すなわち、ディスプレイ５がより大きく折り曲げられるのが抑制される。
【００２８】
以上、説明したように、本実施形態では、一例として、電子機器１は、第一の支持部２と第二の支持部３とが近接してディスプレイ５が略平坦な第一の状態と、第一の支持部２と第二の支持部３とが離間してディスプレイ５が一端側（端部５ｅ側）と他端側（端部５ｃ側）との間で曲がった第二の状態と、をとり得る。よって、本実施形態によれば、一例としては、タブレット構造およびクラムシェル構造の双方に変形可能な電子機器１において、支持部（筐体）がディスプレイ５の端部５ｃと端部５ｅとが互いに面する状態に折り畳まれない（互いに重ならない）ので、電子機器１の厚さがより薄くなりやすい。また、可撓性のディスプレイ５をより大きく曲げずに済むため、一例としては、ディスプレイ５の信頼性がより高まりやすく、ディスプレイ５や電子機器１等がより安価に製造されやすい。また、第一の状態で第二の支持部３が第一の支持部２によってより安定的に支持されやすい。なお、電子機器１は、第一の状態で、第一の支持部２と第二の支持部３とを弾性的に着脱するスナップフィット機構（図示されず）を備えることができる。
【００２９】
また、本実施形態では、一例として、第二の支持部３は、ディスプレイ５の端部５ｃと端部５ｅとに亘る方向と交叉した方向の端部５ｄ，５ｆをスライド可能に支持した第三の支持部６を有している。よって、第一の支持部２と第二の支持部３との屈曲角度によらず、ディスプレイ５がより安定的に支持されることができる。
【００３０】
また、本実施形態では、一例として、第三の支持部６（壁部３ｒのヒンジ部４側の端部３ｗ）はヒンジ部４と離間して設けられている。よって、本実施形態によれば、一例としては、ディスプレイ５がより大きな曲率半径で曲がりやすい。よって、一例としては、ディスプレイ５の信頼性がより高まりやすい。
【００３１】
また、本実施形態では、一例として、ディスプレイ５と第二の支持部３との間に、ディスプレイ５と第二の支持部３との摩擦を減らす摩擦低減部７が設けられている。よって、本実施形態によれば、一例としては、ディスプレイ５がスライドする際に第二の支持部３に引っ掛かるのが抑制されやすい。よって、一例としては、ディスプレイ５がスライドする際に第二の支持部３に引っ掛かることによる不都合が生じにくい。
【００３２】
また、本実施形態では、一例として、摩擦低減部７はディスプレイ５の面５ｂ（後面）に設けられている。よって、本実施形態によれば、一例としては、摩擦低減部７がより容易に設けられやすい。また、一例としては、摩擦低減部７によってディスプレイ５が補強されやすい。また、ディスプレイ５の面５ａの周縁部に設けられた摩擦低減部７は、ディスプレイ５の面５ａ（表示面、表示画面）の非表示領域として用いられうる。
【００３３】
また、本実施形態では、一例として、電子機器１は、ディスプレイ５が曲がったことを検出可能なセンサ８ａを備えている。よって、本実施形態によれば、一例としては、センサ８ａの検出結果に応じてディスプレイ５の表示を切り替えることができる。
【００３４】
また、本実施形態では、一例として、制御部９は、ディスプレイ５が曲がったことが検出された場合には、ディスプレイ５の曲がった中間部分５ｋを含む領域５ｓに対応したタッチセンサ５ｔの検出結果に応じた処理を実行しない。よって、本実施形態によれば、一例としては、制御部９で、ディスプレイ５が曲がったことによるタッチセンサ５ｔの誤検出に基づく誤った演算処理が実行されるのが、抑制されやすい。
【００３５】
また、本実施形態では、一例として、第二の支持部３にカメラモジュール１１が設けられ、第一の支持部２に、第一の状態でカメラモジュール１１による当該第一の支持部２のディスプレイ５とは反対側の領域の撮像を可能とする開口部２ｘが設けられている。よって、本実施形態によれば、一例としては、カメラモジュール１１を、第一の状態と第二の状態との双方で用いることができる。
【００３６】
また、本実施形態では、一例として、第一の支持部２（筐体）内に、端部２ｃ側から端部２ｅ側に亘った空間２ｖが設けられた。よって、本実施形態によれば、一例としては、ヒンジ部４で筐体と筐体とが分割された構成に比べて、第一の支持部２内の空間２ｖがより大きくなりやすい。よって、一例としては、より大きなバッテリが収容されやすい。
【００３７】
また、本実施形態では、一例として、電子機器１は、第一の回動抑制部１２ａおよび第二の回動抑制部１２ｂを備えている。よって、本実施形態によれば、一例としては、電子機器１およびディスプレイ５を、平坦に拡がった姿勢（タブレット構造）と、折り畳まれて互いに厚さ方向に重ならない所定角度で屈曲された姿勢（クラムシェル構造）との間で使用することができる。よって、一例としては、折り畳まれて重ならない分、電子機器１の厚さをより薄くできるとともに、ディスプレイ５の信頼性がより向上されやすい。
【００３８】
＜第１変形例＞
図１４に示される本変形例にかかる第二の支持部３Ａは、上記第１実施形態にかかる電子機器１の第二の支持部３に替えて用いることができる。本変形例では、一例として、第二の支持部３Ａには、その厚さ方向の視線（平面視）で多角形状（本変形例では、一例として六角形状）の開口部３ｕ（貫通孔や有底の凹部等、本変形例では、一例として貫通孔）が設けられている。開口部３ｕは、同じ姿勢で並べられ、複数の開口部３ｕ間には、フレーム３ｖが配置されている。本変形例によれば、一例としては、第二の支持部３Ａがより軽量化され、ひいては、電子機器１がより軽量化されやすい。
【００３９】
＜第２変形例＞
図１５に示される本変形例にかかる第二の支持部３Ｂは、上記第１実施形態にかかる電子機器１の第二の支持部３に替えて用いることができる。本変形例では、一例として、第二の支持部３Ｂには、その厚さ方向の視線（平面視）で円形状の開口部３ｕ（貫通孔や有底の凹部等、本変形例では、一例として貫通孔）が設けられている。本変形例によっても、一例としては、第二の支持部３Ｂがより軽量化され、ひいては、電子機器１がより軽量化されやすい。
【００４０】
＜第３変形例＞
図１６〜１８に示される本変形例にかかる電子機器１Ｃは、第一の支持部２に対して第二の支持部３を支持した第四の支持部１３を備えている。本変形例では、一例として、第四の支持部１３は、第二の支持部３の面３ｂ側に設けられ、第二の支持部３に回動可能に支持されている。第四の支持部１３は、第一の状態では、第二の支持部３の面３ｂに沿った状態に折り畳んで収容することができる。第四の支持部１３の回動軸Ａｘ１は、ヒンジ部４の回動軸Ａｘと平行である。第四の支持部１３は板状あるいはフレーム状に構成されている。第四の支持部１３の端部１３ａ（上端部、一端部）が第二の支持部３に回動可能に接続される。第四の支持部１３の端部１３ａとは反対側の端部１３ｂ（下端部、他端部）が第一の支持部２に支持される。第一の支持部２には、端部１３ｂを異なる支持位置Ａ１〜Ａ４で支持する可変支持部１４（支持部）が設けられている。支持位置Ａ１〜Ａ４のヒンジ部４からの距離がそれぞれ異なっている。可変支持部１４は、第一の支持部２の壁部２ｋに、段差部あるいは凹部として構成されうる。よって、本変形例によれば、第四の支持部１３によって、第二の支持部３が第一の支持部２に対してより強固に支持されやすい。また、本変形例によれば、第四の支持部１３の支持位置Ａ１〜Ａ４を変化させることで、図１８に示されるように、第二の支持部３の角度を可変設定することができる。
【００４１】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態および変形例は、発明の範囲や要旨に含まれるとともに、特許請求の範囲に記載された発明とその均等の範囲に含まれる。また、各実施形態および変形例の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。また、上記実施形態および変形例では、ディスプレイは第二の支持部に固定され、第一の支持部にスライド（移動）可能に支持されてもよい。また、第一の支持部と第二の支持部との屈曲位置（接続位置）や、屈曲数、屈曲方向等も適宜に変更することが可能である。例えば、電子機器は長手方向に沿った屈曲位置（屈曲線、境界線）で短手方向に屈曲される（折り畳み可能な）構成とすることができる。また、本発明の実施形態にかかる発明は、第一の筐体（第一の支持部）および第二の筐体（第二の支持部）のそれぞれに別個のディスプレイ（部品、例えば非可撓性のガラスパネルを有した比較的硬質のディスプレイパネル等）が支持され（設けられ）、第一の回動抑制部と第二の回動抑制部とが設けられた電子機器としても、実施することができ、当該電子機器によっても同様の構成に基づく同様の効果が得られる。
【符号の説明】
【００４２】
１，１Ｃ…電子機器、２…第一の支持部、２ｖ…空間、２ｘ…開口部、３，３Ａ，３Ｂ…第二の支持部、４…ヒンジ部、５…ディスプレイ（部品）、５ａ…面（前面、表示面）、５ｂ…面（後面）、５ｃ…端部（他端）、５ｄ，５ｆ…（交叉した方向の）端部、５ｅ…端部（一端）、５ｋ…中間部分（曲がった部分）、５ｓ…領域、５ｔ…タッチセンサ、７…摩擦低減部、８ａ…センサ、９…制御部、１１…カメラモジュール、１２ａ…第一の回動抑制部、１２ｂ…第二の回動抑制部、１３…第四の支持部。
【図１】
2014026385.tif 000003
【図２】
2014026385.tif 000004
【図３】
2014026385.tif 000005
【図４】
2014026385.tif 000006
【図５】
2014026385.tif 000007
【図６】
2014026385.tif 000008
【図７】
2014026385.tif 000009
【図８】
2014026385.tif 000010
【図９】
2014026385.tif 000011
【図１０】
2014026385.tif 000012
【図１１】
2014026385.tif 000013
【図１２】
2014026385.tif 000014
【図１３】
2014026385.tif 000015
【図１４】
2014026385.tif 000016
【図１５】
2014026385.tif 000017
【図１６】
2014026385.tif 000018
【図１７】
2014026385.tif 000019
【図１８】
2014026385.tif 000020